(57)【特許請求の範囲】
【請求項１】
媒体を介して受信した波形信号を第１の時定数により積分し、該積分された波形信号の電圧レベルより低い電圧レベルの波形信号を排除する排除手段と、
該排除手段により排除されなかった前記波形信号が終了すると、前記波形信号を検波する閾値レベルを一定期間だけ保持状態とするために前記第１の時定数を変化させる時定数変化手段とを有することを特徴とするリモートコントロール受信装置。
【請求項２】
該排除手段により排除されなかった前記波形信号の時間幅と同等の時間幅の矩形信号を出力する矩形波出力手段と、
該矩形信号の電圧レベルが所定のしきい電圧レベルを所定の方向に交差することで、該矩形信号の出力の終了を検知する終了検知手段とをさらに有し、
前記時定数変化手段は、該終了検知手段により前記矩形信号の出力の終了が検知されると、入力波形を検波する閾値レベルを一定期間だけ保持状態とするために前記第１の時定数を変化させることを特徴とする請求項１記載のリモートコントロール受信装置。
【請求項３】
媒体を介して入力される波形信号を感知する感知手段と、
該感知手段で受信した前記波形信号を適正な利得で増幅する増幅手段と、
該増幅された波形信号の内、所定の搬送波に同調した周波数である該増幅された波形信号のみを選択的に通過させるＢＰＦ手段とをさらに有し、
該排除手段は、該ＢＰＦ手段を通過した前記増幅された波形信号を第１の時定数により積分し、該積分された波形信号の電圧レベルより低い電圧レベルの波形信号を排除することを特徴とし、
該排除手段により排除されなかった前記波形信号の時間幅と同等の時間幅の矩形信号を出力する矩形波出力手段と、
該矩形信号の電圧レベルが所定のしきい電圧レベルを所定の方向に交差することで、該矩形信号の出力の終了を検知する終了検知手段と、
該終了検知手段により前記矩形信号の出力の終了が検知されると、第１の期間、前記排除手段に第１の電力を供給するための導線を接続するスイッチ手段とをさらに有し、
前記時定数変化手段は、前記第１の期間、前記排除手段に前記第１の電力を供給することにより、入力波形を検波する閾値レベルを一定期間だけ保持状態とするために前記第１の時定数を変化させることを特徴とする請求項１記載のリモートコントロール受信装置。
【請求項４】
前記媒体は、赤外線であることを特徴とする請求項１から３のいずれかに記載のリモートコントロール受信装置。
【請求項５】
前記波形信号は、特定の周波数をもつ搬送波を断続することにより作成されるＰＰＭ変調信号であることを特徴とする請求項１から４のいずれかに記載のリモートコントロール受信装置。
【請求項６】
前記排除手段は、時定数回路を有するローパスフィルタ回路と電圧レベルにオフセットを付加するＤＣレベルシフト回路と第１のＮＰＮトランジスタと第２のトランジスタとを有して構成され、
該第１、及び第２のＮＰＮトランジスタのコレクタには共に同等の電流が供給され、該第１のＮＰＮトランジスタのベースには前記波形信号を入力し、前記第２のＮＰＮトランジスタのベースには前記オフセットを付加後、前記ローパスフィルタ回路が有する前記第１の時定数により積分された信号を入力することで、前記電圧レベルより低い電圧レベルの前記波形信号を排除することを特徴とする請求項１から５のいずれかに記載のリモートコントロール受信装置。
【請求項７】
前記矩形波出力手段は、カレントミラー回路と第１の定電流源とを有して構成され、
該カレントミラー回路の一方の出力端子を、前記第２のＮＰＮトランジスタのコレクタに接続することで、該矩形波出力手段は、前記排除手段により排除されなかった前記波形信号に対し、該波形信号の時間幅と同等の時間幅の矩形波を出力することを特徴とする請求項６記載のリモートコントロール受信装置。
【請求項８】
前記終了検知手段は、ワンショットトリガ回路とスイッチ回路と時定数発生回路とを有して構成され、
前記スイッチ手段は、スイッチとカレントミラー回路とを有して構成され、
前記終了検知手段及び前記スイッチ手段は、前記矩形信号の電圧レベルが所定のしきい電圧レベルを所定の方向より交差したとき、前記ワンショットトリガ回路が前記スイッチ回路に前記第１の期間、第２の電力を供給し、前記スイッチ回路に該第２の電力が供給されると、前記時定数発生回路は前記スイッチに該第１の期間、第３の電力を供給し、該スイッチは該第３の電力が供給さている該第１の期間、前記導線を接続することを特徴とする請求項３から７のいずれかに記載のリモートコントロール受信装置。
【請求項９】
前記時定数変化手段は、前記ローパスフィルタ回路に前記第１の電力を供給することにより、前記時定数回路が有する時定数を変化させることを特徴とする請求項６から８のいずれかに記載のリモートコントロール受信装置。
【請求項１０】
前記スイッチは、抵抗と第１のＰＮＰトランジスタとを有して構成され、
前記時定数変化手段は、前記第１の期間、該スイッチに前記第３の電力が供給されることにより、前記カレントミラー回路を介して前記ローパスフィルタ回路に前記第１の電力を供給することを特徴とする請求項８または９記載のリモートコントロール受信装置。
【請求項１１】
前記矩形波出力手段より出力された前記矩形信号のヒステリシス誤差を解消する波形整形手段とをさらに有し、
前記終了検知手段は、該波形整形手段より出力された該矩形信号に対し、該矩形信号の終了を検知することを特徴とする請求項２から１０のいずれかに記載のリモートコントロール受信装置。
【請求項１２】
前記波形整形手段は、シュミットトリガ回路を有して構成されることを特徴とする請求項１１記載のリモートコントロール受信装置。
【請求項１３】
前記第１の電力は、スイッチ回路を介して、前記ローパスフィルタ回路とは反対側に接続された第２の定電流源より供給される電力であることを特徴とする請求項２から１２のいずれかに記載のリモートコントロール受信装置。
【請求項１４】
前記スイッチ回路は、第１の抵抗と第２の抵抗と第３のＮＰＮトランジスタとを有して構成され、
前記２つの抵抗を直列に接続し、該直列に接続された抵抗の間に前記第３のＮＰＮトランジスタのベースを接続し、該第３のＮＰＮトランジスタのエミッタと該直列に接続された抵抗の一端とを接地し、該第３のＮＰＮトランジスタのコレクタを前記時定数発生回路に入力することを特徴とする請求項８から１３のいずれかに記載のリモートコントロール受信装置。
【請求項１５】
前記時定数発生回路は、コンパレータと定電圧源とコンデンサと第３の定電流源とを有して構成され、
該第３の定電流源と前記コンデンサの一方の端子とを前記コンパレータの負入力端子に接続し、該コンデンサの他の端子と、前記定電圧源の負出力端子を接地し、該定電圧源の正出力端子を前記コンパレータの正入力端子に接続し、該コンパレータの出力端子を前記スイッチに入力することを特徴とする請求項８から１４のいずれかに記載のリモートコントロール受信装置。
【請求項１６】
前記スイッチは、第３の抵抗と第２のＰＮＰトランジスタとを有して構成され、
前記時定数発生回路からの入力を前記第３の抵抗と前記第２のＰＮＰトランジスタのベースとに接続し、該第２のＰＮＰトランジスタのコレクタを前記カレントミラー回路に接続することで、前記時定数発生回路より電力が入力されると、前記ローパスフィルタ回路に前記所定の期間、電力を供給することを特徴とする請求項８から１５のいずれかに記載のリモートコントロール受信装置。
【請求項１７】
前記第１の期間は、前記終了検知手段により前記矩形信号の出力の終了が検知されたときから、前記所定の時定数により決定された期間であることを特徴とする請求項２から１６のいずれかに記載のリモートコントロール受信装置。
【請求項１８】
前記矩形信号を、外部に出力する出力手段をさらに有することを特徴とする請求項２から１７のいずれかに記載のリモートコントロール受信装置。
【請求項１９】
媒体を介して受信した波形信号を第１の時定数により積分し、該積分された波形信号の電圧レベルより低い電圧レベルの波形信号を排除する排除工程と、
該排除工程により排除されなかった前記波形信号が終了すると、前記波形信号を検波する閾値レベルを一定期間だけ保持状態とするために前記第１の時定数を変化させる時定数変化工程とを有することを特徴とする妨害波除去方法。
【請求項２０】
該排除工程により排除されなかった前記波形信号の時間幅と同等の時間幅の矩形信号を出力する矩形波出力工程と、
該矩形信号の電圧レベルが所定のしきい電圧レベルを所定の方向に交差することで、該矩形信号の出力の終了を検知する終了検知工程とをさらに有し、
前記時定数変化工程は、該終了検知工程により前記矩形信号の出力の終了が検知されると、入力波形を検波する閾値レベルを一定期間だけ保持状態とするために前記第１の時定数を変化させることを特徴とする請求項１９記載の妨害波除去方法。
【請求項２１】
媒体を介して入力される波形信号を感知する感知工程と、
該感知工程で受信した前記波形信号を適正な利得で増幅する増幅工程と、
該増幅された波形信号の内、所定の搬送波に同調した周波数である該増幅された波形信号のみを選択的に通過させるＢＰＦ工程とをさらに有し、
該排除工程は、該ＢＰＦ工程を通過した前記増幅された波形信号を第１の時定数により積分し、該積分された波形信号の電圧レベルより低い電圧レベルの波形信号を排除することを特徴とし、
該排除工程により排除されなかった前記波形信号の時間幅と同等の時間幅の矩形信号を出力する矩形波出力工程と、
該矩形信号の電圧レベルが所定のしきい電圧レベルを所定の方向に交差することで、該矩形信号の出力の終了を検知する終了検知工程と、
該終了検知工程により前記矩形信号の出力の終了が検知されると、前記時定数変化工程は、第１の期間、第１の電力を供給することにより、入力波形を検波する閾値レベルを一定期間だけ保持状態とするために前記第１の時定数を変化させることを特徴とする請求項１９記載の妨害波除去方法。
【請求項２２】
前記媒体は、赤外線であることを特徴とする請求項１９から２１のいずれかに記載の妨害波除去方法。
【請求項２３】
前記波形信号は、特定の周波数をもつ搬送波を断続することにより作成されるＰＰＭ変調信号であることを特徴とする請求項１９から２２のいずれかに記載の妨害波除去方法。
【請求項２４】
前記排除工程は、時定数回路を有するローパスフィルタ回路と電圧レベルにオフセットを付加するＤＣレベルシフト回路と第１のＮＰＮトランジスタと第２のトランジスタとを有して構成された回路により、該第１、及び第２のＮＰＮトランジスタのコレクタには共に同等の電流が供給され、該第１のＮＰＮトランジスタのベースへ前記波形信号が入力し、前記第２のＮＰＮトランジスタのベースへ前記オフセットを付加後に前記ローパスフィルタ回路が有する前記第１の時定数により積分された信号を入力することで、前記電圧レベルより低い電圧レベルの前記波形信号を排除することを特徴とする請求項１９から２３のいずれかに記載の妨害波除去方法。
【請求項２５】
前記矩形波出力工程は、カレントミラー回路と第１の定電流源とを有して構成された回路により、該カレントミラー回路の一方の出力端子を、前記第２のＮＰＮトランジスタのコレクタに接続することで、該矩形波出力工程は、前記排除工程により排除されなかった前記波形信号に対し、該波形信号の時間幅と同等の時間幅の矩形波を出力することを特徴とする請求項２４記載の妨害波除去方法。
【請求項２６】
前記終了検知工程は、ワンショットトリガ回路とスイッチ回路と時定数発生回路とを有して構成された回路により実行され、
前記スイッチ工程は、スイッチとカレントミラー回路とを有して構成された回路により実行されることにより、
前記矩形信号の電圧レベルが所定のしきい電圧レベルを所定の方向より交差したとき、前記ワンショットトリガ回路が前記スイッチ回路に前記第１の期間、第２の電力を供給し、前記スイッチ回路に該第２の電力が供給されると、前記時定数発生回路は前記スイッチに該第１の期間、第３の電力を供給し、該スイッチは該第３の電力が供給さている該第１の期間、前記導線を接続することを特徴とする請求項２１から２５のいずれかに記載の妨害波除去方法。
【請求項２７】
前記時定数変化工程は、前記ローパスフィルタ回路に前記第１の電力を供給することにより、前記時定数回路が有する時定数を変化させることを特徴とする請求項２４から２６のいずれかに記載の妨害波除去方法。
【請求項２８】
前記スイッチは、抵抗と第１のＰＮＰトランジスタとを有して構成された回路により、前記第１の期間、該スイッチに前記第３の電力が供給されることにより、前記カレントミラー回路を介して前記ローパスフィルタ回路に前記第１の電力を供給することを特徴とする請求項２６または２７記載の妨害波除去方法。
【請求項２９】
前記矩形波出力工程より出力された前記矩形信号のヒステリシス誤差を解消する波形整形工程とをさらに有し、
前記終了検知工程は、該波形整形工程より出力された該矩形信号に対し、該矩形信号の終了を検知することを特徴とする請求項２０から２８のいずれかに記載の妨害波除去方法。
【請求項３０】
前記波形整形工程は、シュミットトリガ回路を有して構成された回路により実行されることを特徴とする請求項２９記載の妨害波除去方法。
【請求項３１】
前記第１の電力は、スイッチ回路を介して、前記ローパスフィルタ回路とは反対側に接続された第２の定電流源より供給される電力であることを特徴とする請求項２０から３０のいずれかに記載の妨害波除去方法。
【請求項３２】
前記スイッチ回路は、第１の抵抗と第２の抵抗と第３のＮＰＮトランジスタとを有して構成された回路により、前記２つの抵抗を直列に接続し、該直列に接続された抵抗の間に前記第３のＮＰＮトランジスタのベースを接続し、該第３のＮＰＮトランジスタのエミッタと該直列に接続された抵抗の一端とを接地し、該第３のＮＰＮトランジスタのコレクタを前記時定数発生回路に入力することを特徴とする請求項２６から３１のいずれかに記載の妨害波除去方法。
【請求項３３】
前記時定数発生回路は、コンパレータと定電圧源とコンデンサと第３の定電流源とを有して構成された回路により、該第３の定電流源と前記コンデンサの一方の端子とを前記コンパレータの負入力端子に接続し、該コンデンサの他の端子と、前記定電圧源の負出力端子を接地し、該定電圧源の正出力端子を前記コンパレータの正入力端子に接続し、該コンパレータの出力端子を前記スイッチに入力することを特徴とする請求項２６から３２のいずれかに記載の妨害波除去方法。
【請求項３４】
前記スイッチは、第３の抵抗と第２のＰＮＰトランジスタとを有して構成された回路により、前記時定数発生回路からの入力を前記第３の抵抗と前記第２のＰＮＰトランジスタのベースとに接続し、該第２のＰＮＰトランジスタのコレクタを前記カレントミラー回路に接続することで、前記時定数発生回路より電力が入力されると、前記ローパスフィルタ回路に前記所定の期間、電力を供給することを特徴とする請求項２６から３３のいずれかに記載の妨害波除去方法。
【請求項３５】
前記第１の期間は、前記終了検知工程により前記矩形信号の出力の終了が検知されたときから、前記所定の時定数により決定された期間であることを特徴とする請求項２０から３４のいずれかに記載の妨害波除去方法。
【請求項３６】
前記矩形信号を、外部に出力する出力工程をさらに有することを特徴とする請求項２０から３５のいずれかに記載の妨害波除去方法。
【発明の詳細な説明】
【０００１】
【発明の属する技術分野】
本発明は、リモートコントロール受信装置及び妨害波除去方法に関し、特に、信号を受信した直後に一定時間だけ検波回路の感度を低くすることで誤作動を防ぐリモートコントロール受信装置及び妨害波除去方法に関する。
【０００２】
【従来の技術】
一般的にリモートコントロール受信装置及び妨害波除去方法において、特に赤外線を媒体とするリモートコントロール受信装置及び妨害波除去方法は、赤外線を媒体として電子・電気機器を遠隔操作するために広く使用されている装置であって、例えばテレビジョン受像機のチャンネル切り換えや電源のＯＮ／ＯＦＦの操作等で多用されているものである。
【０００３】
ここで、一般的なリモートコントロール受信装置及び妨害波除去方法を、図１の（ａ）を用いて詳細に説明する。図１の（ａ）を参照すると、従来技術によるリモートコントロール受信装置及び妨害波除去方法は、送信側から赤外線変調波に変換して送られてきたパルス位置変調信号（Ｐｕｌｓｅ  Ｐｏｓｉｔｉｏｎ  Ｍｏｄｕｌａｔｉｏｎ  信号：以下、ＰＰＭ変調信号と略記する）を受信し、電流波形として出力する赤外線感知素子１０と、赤外線感知素子１０で受信したＰＰＭ変調信号を適正な利得で増幅する増幅回路２０と、ＰＰＭ変調信号の搬送波に同調した信号のみを選択的に通過させるバンド・パス・フィルター（ＢａｎｄＰａｓｓ  Ｆｉｌｔｅｒ：以下、ＢＰＦと略記する）３０と、ＢＰＦ３０を通過した信号の内、正規のＰＰＭ変調信号のみを弁別する検波回路４０と、波形整形用のヒステリシスコンパレータ（シュミットトリガ回路）を備えた波形整形回路５０と、整形された信号を出力する出力端子６０とにより構成されている。また、この上記の赤外線感知素子１０は、主にフォトダイオードなどにより構成されるのが一般的である。
【０００４】
また、図１の（ａ）及び（ｂ）を参照して、従来技術によるリモートコントロール受信装置及び妨害波除去方法を有する一般的なリモートコントロール・システムの構成を詳細に説明する。図１の（ａ）及び（ｂ）は、従来技術によるリモートコントロール・システムのブロック図である。
【０００５】
一般的なテレビジョン受像機のチャンネル切り換えや電源のＯＮ／ＯＦＦの操作等を遠隔操作するリモートコントロール・システムは、図１の（ａ）に示すようなリモートコントロール回路を備えた受信部１と，図１の（ｂ）に示すような発振回路７０と赤外線発光ダイオード（以下、赤外線ＬＥＤと略記する）８０とからなる送信部２とにより構成されている。
【０００６】
図１の（ｂ）に示された送信部２における発振回路７０は、特定の周波数を持つ搬送波を断続することにより構成されるＰＰＭ変調信号を発振する。この発振されたＰＰＭ変調信号を赤外線ＬＥＤ８０に入力することで、赤外線を媒体とした赤外線変調信号を発光する。図１の（ａ）に示された受信部１は、この赤外線変調波を受信することで、発振回路７０が発振したＰＰＭ変調信号を受け取る。
【０００７】
この図１の（ａ）に示された受信部１は、通常、Ｐｉｎフォトダイオードから構成され、送信部２から赤外線変調波として送られてきたＰＰＭ変調信号を受信するための赤外線感知素子１０と、赤外線感知素子１０で受信したＰＰＭ変調信号を適正な利得で増幅する増幅回路２０と、ＰＰＭ変調信号の搬送波に同調した信号のみを選択的に通過させるＢＰＦ３０と、ＢＰＦ３０を通過した信号の内、正規のＰＰＭ変調信号のみを弁別する検波回路４０と、波形整形用のヒステリシスコンパレータを備えた波形整形回路５０と、整形された信号を出力する出力端子６０とを備え、ＰＰＭ変調信号の搬送波の断続に応じたパルス信号を出力端子６０より出力している。
【０００８】
上記において説明したような従来技術による一般的なリモートコントロール・システムにおいて、特に送信側で特定の周波数を持つ搬送波を断続することにより構成したＰＰＭ変調信号を赤外線ＬＥＤを導通させることで赤外線を媒体とする赤外線変調波に変換し、送信機側から赤外線受信装置にＰＰＭ変調信号を伝送するリモートコントロール・システムは、一般的に家庭でＴＶやＶＴＲ等の機器を遠隔操作するときに多く使用されている。
【０００９】
【発明が解決しようとする課題】
しかしながら、近年、家庭で用いられるような色々な電化製品は、小型・高効率化のためにスイッチング電源を使用しており、その結果、リモートコントロールを妨害するようなノイズが機器から発生する。また、家庭に浸透してきたインバータ蛍光燈も、このインバータ蛍光燈からも同様にリモートコントロールを妨害するようなノイズを発生させる要因となっている。このようなノイズはリモートコントロール受信装置の入力端子から信号と一緒に入力され、これが増幅され、検波されることで、後続のマイコンが誤動作し、機器の誤動作を招くといった問題が生じている。
【００１０】
例えば、図６に示すような従来技術による検波回路４２では、図４の（Ａ）におけるＡ１に示した波形のように、第２ＯＦＦ区間にノイズが含まれると、検波回路４２のしきい値が次の信号を検出するために低下しているため、図４の（Ｂ）におけるＢ１及びＢ２に示したようにノイズがしきい値を超えて検出され、図４の（Ｃ）に示されたような波形となり、誤動作が生じてしまう。
【００１１】
このような問題を解決せんとする第１の従来技術として、特開昭６０−１４１０３７号公報においては、以下に示すような赤外線リモートコントロール回路が提案されている。
【００１２】
この特開昭６０−１４１０３７号公報が開示するところの赤外線リモートコントロール回路は、赤外線信号パルスを検出する検波回路の出力側に、赤外線信号パルスが少なくとも２以上連続して到来し、且つそのパルス間隔が所定以上の場合に出力を発生するように設計されたノイズ除去回路が設けられている。このノイズ除去回路には、検波出力に応動してコンデンサーを充電させる充放電回路が設置され、充放電回路の出力側にはコンデンサーの端子電圧が所定レベルを越えたとき、出力が反転する比較器が設置されている。
【００１３】
以上の回路構成を有することにより、端子から入力された搬送周波数が少なくとも２パルス以上連続し、且つそのパルス間隔が所定時間以上の信号として到来した場合に、充放電回路では検波出力に応動してコンデンサーを放電し、このコンデンサーの端子電圧が所定レベルを越えたとき、比較器の出力が反転する。このコンデンサーの充放電の時定数は、搬送周波数の赤外線信号パルスが少なくとも２パルス以上連続して到来し、且つそのパルス間隔が所定時間以内の場合に、放電よりも充電の方が早くなるように、ノイズの少ない信号を出力端に出力できるとしている。
【００１４】
しかしながら、上記特開昭６０−１４１０３７号公報が開示するところの赤外線リモートコントロール回路においては、２パルス以上が連続して入力され、この入力されたパルスの間隔が所定時間以上である場合、これがノイズパルスであるとしても、正規の赤外線変調信号として受信してしまうという問題があった。
【００１５】
また、特開平１１−１８１７９号公報に示唆されているように、２パルスのノイズを除去するために、充放電の電流比を４パルス以上に調整することは、４パルス分の時間だけＰＰＭ変調信号のＯＮ期間に比例したパルスの出力時間が短くなるため、後続の回路素子が誤動作するという問題だけでなく、４パルス分だけ妨害波が除去できるという程度では、入力されるノイズのパルスの数が増加しているため、妨害波を除去しきれないといった問題を有している。
【００１６】
このため、上記のようにノイズに対して誤動作を起こさない、いわゆるノイズに強いリモートコントロール受信装置及び妨害波除去方法による妨害波除去方法が要求されている。
【００１７】
このような要求を満さんとする第２の従来技術として、特開平１１−１８１７９号公報においては、図６に示されたコンデンサ４１７の代わりに、ＢＰＦ３０より出力された同調周波数を、規定する電流と連動した周波数の信号だけを検出する周波数選択回路と、周波数選択回路の出力の内、ＰＰＭ変調信号のＯＮ期間の信号のみを周波数選択回路の出力として検出するパルス検出回路とをさらに有することにより、規定の周波数範囲以外の周波数の信号をリジェクトする赤外線リモートコントロール回路が開示されている。
【００１８】
しかしながら、上記第２の従来技術においては、パルス数に対し必要以上にリジェクト判定を行っており、また、従来、一つであった検波回路の他にさらに別の検波回路を用いているため、電力消費やスペースにおいて、非効率である問題を有していた。
【００１９】
本発明はかかる問題に鑑みなされたもので、上記問題を解決するために、通常の信号処理回路の特性に影響を与えることが無く、妨害波に反応しないリモートコントロール受信装置及び妨害波除去方法を提供し、さらに、消費電力が小さく、また、省スペース化することが可能な優れた代替手段となるリモートコントロール受信装置及び妨害波除去方法を提供することを目的とする。
【００２０】
【課題を解決するための手段】
係る目的を達成するために、請求項１記載の発明は、媒体を介して受信した波形信号を第１の時定数により積分し、該積分された波形信号の電圧レベルより低い電圧レベルの波形信号を排除する排除手段と、該排除手段により排除されなかった波形信号が終了すると、波形信号を検波する閾値レベルを一定期間だけ保持状態とするために第１の時定数を変化させる時定数変化手段とを有することを特徴とする。
【００２１】
また、請求項２記載の発明は、請求項１記載のリモートコントロール受信装置において、該排除手段により排除されなかった波形信号の時間幅と同等の時間幅の矩形信号を出力する矩形波出力手段と、該矩形信号の電圧レベルが所定のしきい電圧レベルを所定の方向に交差することで、該矩形信号の出力の終了を検知する終了検知手段とをさらに有し、時定数変化手段は、該終了検知手段により矩形信号の出力の終了が検知されると、入力波形を検波する閾値レベルを一定期間だけ保持状態とするために第１の時定数を変化させることを特徴とする。
【００２２】
また、請求項３記載の発明は、請求項１記載のリモートコントロール受信装置において、媒体を介して入力される波形信号を感知する感知手段と、該感知手段で受信した波形信号を適正な利得で増幅する増幅手段と、該増幅された波形信号の内、所定の搬送波に同調した周波数である該増幅された波形信号のみを選択的に通過させるＢＰＦ手段とをさらに有し、該排除手段は、該ＢＰＦ手段を通過した増幅された波形信号を第１の時定数により積分し、該積分された波形信号の電圧レベルより低い電圧レベルの波形信号を排除することを特徴とし、該排除手段により排除されなかった波形信号の時間幅と同等の時間幅の矩形信号を出力する矩形波出力手段と、該矩形信号の電圧レベルが所定のしきい電圧レベルを所定の方向に交差することで、該矩形信号の出力の終了を検知する終了検知手段と、該終了検知手段により矩形信号の出力の終了が検知されると、第１の期間、排除手段に第１の電力を供給するための導線を接続するスイッチ手段とをさらに有し、時定数変化手段は、第１の期間、排除手段に第１の電力を供給することにより、入力波形を検波する閾値レベルを一定期間だけ保持状態とするために第１の時定数を変化させることを特徴とする。
【００２３】
また、請求項４記載の発明によれば、請求項１から３のいずれかに記載のリモートコントロール受信装置において、媒体は、赤外線であることを特徴とする。
【００２４】
また、請求項５記載の発明によれば、請求項１から４のいずれかに記載のリモートコントロール受信装置において、波形信号は、特定の周波数をもつ搬送波を断続することにより作成されるＰＰＭ変調信号であることを特徴とする。
【００２５】
また、請求項６記載の発明によれば、請求項１から５のいずれかに記載のリモートコントロール受信装置において、排除手段は、時定数回路を有するローパスフィルタ回路と電圧レベルにオフセットを付加するＤＣレベルシフト回路と第１のＮＰＮトランジスタと第２のトランジスタとを有して構成され、該第１、及び第２のＮＰＮトランジスタのコレクタには共に同等の電流が供給され、該第１のＮＰＮトランジスタのベースには波形信号を入力し、第２のＮＰＮトランジスタのベースにはオフセットを付加後、ローパスフィルタ回路が有する第１の時定数により積分された信号を入力することで、電圧レベルより低い電圧レベルの波形信号を排除することを特徴とする。
【００２６】
また、請求項７記載の発明によれば、請求項６記載のリモートコントロール受信装置において、矩形波出力手段は、カレントミラー回路と第１の定電流源とを有して構成され、該カレントミラー回路の一方の出力端子を、第２のＮＰＮトランジスタのコレクタに接続することで、該矩形波出力手段は、排除手段により排除されなかった波形信号に対し、該波形信号の時間幅と同等の時間幅の矩形波を出力することを特徴とする。
【００２７】
また、請求項８記載の発明によれば、請求項３から７のいずれかに記載のリモートコントロール受信装置において、終了検知手段は、ワンショットトリガ回路とスイッチ回路と時定数発生回路とを有して構成され、スイッチ手段は、スイッチとカレントミラー回路とを有して構成され、終了検知手段及びスイッチ手段は、矩形信号の電圧レベルが所定のしきい電圧レベルを所定の方向より交差したとき、ワンショットトリガ回路がスイッチ回路に第１の期間、第２の電力を供給し、スイッチ回路に該第２の電力が供給されると、時定数発生回路はスイッチに該第１の期間、第３の電力を供給し、該スイッチは該第３の電力が供給さている該第１の期間、導線を接続することを特徴とする。
【００２８】
また、請求項９記載の発明によれば、請求項６から８のいずれかに記載のリモートコントロール受信装置において、時定数変化手段は、ローパスフィルタ回路に第１の電力を供給することにより、時定数回路が有する時定数を変化させることを特徴とする。
【００２９】
また、請求項１０記載の発明によれば、請求項８または９記載のリモートコントロール受信装置において、スイッチは、抵抗と第１のＰＮＰトランジスタとを有して構成され、時定数変化手段は、第１の期間、該スイッチに第３の電力が供給されることにより、カレントミラー回路を介してローパスフィルタ回路に第１の電力を供給することを特徴とする。
【００３０】
また、請求項１１記載の発明によれば、請求項２から１０のいずれかに記載のリモートコントロール受信装置において、矩形波出力手段より出力された矩形信号のヒステリシス誤差を解消する波形整形手段とをさらに有し、終了検知手段は、該波形整形手段より出力された該矩形信号に対し、該矩形信号の終了を検知することを特徴とする。
【００３１】
また、請求項１２記載の発明によれば、請求項１１記載のリモートコントロール受信装置において、波形整形手段は、シュミットトリガ回路を有して構成されることを特徴とする。
【００３２】
また、請求項１３記載の発明によれば、請求項２から１２のいずれかに記載のリモートコントロール受信装置において、第１の電力は、スイッチ回路を介して、ローパスフィルタ回路とは反対側に接続された第２の定電流源より供給される電力であることを特徴とする。
【００３３】
また、請求項１４記載の発明によれば、請求項８から１３のいずれかに記載のリモートコントロール受信装置において、スイッチ回路は、第１の抵抗と第２の抵抗と第３のＮＰＮトランジスタとを有して構成され、２つの抵抗を直列に接続し、該直列に接続された抵抗の間に第３のＮＰＮトランジスタのベースを接続し、該第３のＮＰＮトランジスタのエミッタと該直列に接続された抵抗の一端とを接地し、該第３のＮＰＮトランジスタのコレクタを時定数発生回路に入力することを特徴とする。
【００３４】
また、請求項１５記載の発明によれば、請求項８から１４のいずれかに記載のリモートコントロール受信装置において、時定数発生回路は、コンパレータと定電圧源とコンデンサと第３の定電流源とを有して構成され、該第３の定電流源とコンデンサの一方の端子とをコンパレータの負入力端子に接続し、該コンデンサの他の端子と、定電圧源の負出力端子を接地し、該定電圧源の正出力端子をコンパレータの正入力端子に接続し、該コンパレータの出力端子をスイッチに入力することを特徴とする。
【００３５】
また、請求項１６記載の発明によれば、請求項８から１５のいずれかに記載のリモートコントロール受信装置において、スイッチは、第３の抵抗と第２のＰＮＰトランジスタとを有して構成され、時定数発生回路からの入力を第３の抵抗と第２のＰＮＰトランジスタのベースとに接続し、該第２のＰＮＰトランジスタのコレクタをカレントミラー回路に接続することで、時定数発生回路より電力が入力されると、ローパスフィルタ回路に所定の期間、電力を供給することを特徴とする。
【００３６】
また、請求項１７記載の発明によれば、請求項２から１６のいずれかに記載のリモートコントロール受信装置において、第１の期間は、終了検知手段により矩形信号の出力の終了が検知されたときから、所定の時定数により決定された期間であることを特徴とする。
【００３７】
また、請求項１８記載の発明によれば、請求項２から１７のいずれかに記載のリモートコントロール受信装置において、矩形信号を、外部に出力する出力手段をさらに有することを特徴とする。
【００３８】
また、請求項１９記載の発明は、媒体を介して受信した波形信号を第１の時定数により積分し、該積分された波形信号の電圧レベルより低い電圧レベルの波形信号を排除する排除工程と、該排除工程により排除されなかった波形信号が終了すると、波形信号を検波する閾値レベルを一定期間だけ保持状態とするために第１の時定数を変化させる時定数変化工程とを有することを特徴とする。
【００３９】
また、請求項２０記載の発明は、請求項１９記載の妨害波除去方法において、該排除工程により排除されなかった波形信号の時間幅と同等の時間幅の矩形信号を出力する矩形波出力工程と、該矩形信号の電圧レベルが所定のしきい電圧レベルを所定の方向に交差することで、該矩形信号の出力の終了を検知する終了検知工程とをさらに有し、時定数変化工程は、該終了検知工程により矩形信号の出力の終了が検知されると、入力波形を検波する閾値レベルを一定期間だけ保持状態とするために第１の時定数を変化させることを特徴とする。
【００４０】
また、請求項２１記載の発明は、請求項１９記載の妨害波除去方法において、媒体を介して入力される波形信号を感知する感知工程と、該感知工程で受信した波形信号を適正な利得で増幅する増幅工程と、該増幅された波形信号の内、所定の搬送波に同調した周波数である該増幅された波形信号のみを選択的に通過させるＢＰＦ工程とをさらに有し、該排除工程は、該ＢＰＦ工程を通過した増幅された波形信号を第１の時定数により積分し、該積分された波形信号の電圧レベルより低い電圧レベルの波形信号を排除することを特徴とし、該排除工程により排除されなかった波形信号の時間幅と同等の時間幅の矩形信号を出力する矩形波出力工程と、該矩形信号の電圧レベルが所定のしきい電圧レベルを所定の方向に交差することで、該矩形信号の出力の終了を検知する終了検知工程と、該終了検知工程により矩形信号の出力の終了が検知されると、時定数変化工程は、第１の期間、第１の電力を供給することにより、入力波形を検波する閾値レベルを一定期間だけ保持状態とするために第１の時定数を変化させることを特徴とする。
【００４１】
また、請求項２２記載の発明によれば、請求項１９から２１のいずれかに記載の妨害波除去方法において、媒体は、赤外線であることを特徴とする。
【００４２】
また、請求項２３記載の発明によれば、請求項１９から２２のいずれかに記載の妨害波除去方法において、波形信号は、特定の周波数をもつ搬送波を断続することにより作成されるＰＰＭ変調信号であることを特徴とする。
【００４３】
また、請求項２４記載の発明によれば、請求項１９から２３のいずれかに記載の妨害波除去方法において、排除工程は、時定数回路を有するローパスフィルタ回路と電圧レベルにオフセットを付加するＤＣレベルシフト回路と第１のＮＰＮトランジスタと第２のトランジスタとを有して構成された回路により、該第１、及び第２のＮＰＮトランジスタのコレクタには共に同等の電流が供給され、該第１のＮＰＮトランジスタのベースへ波形信号が入力し、第２のＮＰＮトランジスタのベースへオフセットを付加後にローパスフィルタ回路が有する第１の時定数により積分された信号を入力することで、電圧レベルより低い電圧レベルの波形信号を排除することを特徴とする。
【００４４】
また、請求項２５記載の発明によれば、請求項２４記載の妨害波除去方法において、矩形波出力工程は、カレントミラー回路と第１の定電流源とを有して構成された回路により、該カレントミラー回路の一方の出力端子を、第２のＮＰＮトランジスタのコレクタに接続することで、該矩形波出力工程は、排除工程により排除されなかった波形信号に対し、該波形信号の時間幅と同等の時間幅の矩形波を出力することを特徴とする。
【００４５】
また、請求項２６記載の発明によれば、請求項２１から２５のいずれかに記載の妨害波除去方法において、終了検知工程は、ワンショットトリガ回路とスイッチ回路と時定数発生回路とを有して構成された回路により実行され、スイッチ工程は、スイッチとカレントミラー回路とを有して構成された回路により実行されることにより、矩形信号の電圧レベルが所定のしきい電圧レベルを所定の方向より交差したとき、ワンショットトリガ回路がスイッチ回路に第１の期間、第２の電力を供給し、スイッチ回路に該第２の電力が供給されると、時定数発生回路はスイッチに該第１の期間、第３の電力を供給し、該スイッチは該第３の電力が供給さている該第１の期間、導線を接続することを特徴とする。
【００４６】
また、請求項２７記載の発明によれば、請求項２４から２６のいずれかに記載の妨害波除去方法において、時定数変化工程は、ローパスフィルタ回路に第１の電力を供給することにより、時定数回路が有する時定数を変化させることを特徴とする。
【００４７】
また、請求項２８記載の発明によれば、請求項２６または２７記載の妨害波除去方法において、スイッチは、抵抗と第１のＰＮＰトランジスタとを有して構成された回路により、第１の期間、該スイッチに第３の電力が供給されることにより、カレントミラー回路を介してローパスフィルタ回路に第１の電力を供給することを特徴とする。
【００４８】
また、請求項２９記載の発明によれば、請求項２０から２８のいずれかに記載の妨害波除去方法において、矩形波出力工程より出力された矩形信号のヒステリシス誤差を解消する波形整形工程とをさらに有し、終了検知工程は、該波形整形工程より出力された該矩形信号に対し、該矩形信号の終了を検知することを特徴とする。
【００４９】
また、請求項３０記載の発明によれば、請求項２９記載の妨害波除去方法において、波形整形工程は、シュミットトリガ回路を有して構成された回路により実行されることを特徴とする。
【００５０】
また、請求項３１記載の発明によれば、請求項２０から３０のいずれかに記載の妨害波除去方法において、第１の電力は、スイッチ回路を介して、ローパスフィルタ回路とは反対側に接続された第２の定電流源より供給される電力であることを特徴とする。
【００５１】
また、請求項３２記載の発明によれば、請求項２６から３１のいずれかに記載の妨害波除去方法において、スイッチ回路は、第１の抵抗と第２の抵抗と第３のＮＰＮトランジスタとを有して構成された回路により、２つの抵抗を直列に接続し、該直列に接続された抵抗の間に第３のＮＰＮトランジスタのベースを接続し、該第３のＮＰＮトランジスタのエミッタと該直列に接続された抵抗の一端とを接地し、該第３のＮＰＮトランジスタのコレクタを時定数発生回路に入力することを特徴とする。
【００５２】
また、請求項３３記載の発明によれば、請求項２６から３２のいずれかに記載の妨害波除去方法において、時定数発生回路は、コンパレータと定電圧源とコンデンサと第３の定電流源とを有して構成された回路により、該第３の定電流源とコンデンサの一方の端子とをコンパレータの負入力端子に接続し、該コンデンサの他の端子と、定電圧源の負出力端子を接地し、該定電圧源の正出力端子をコンパレータの正入力端子に接続し、該コンパレータの出力端子をスイッチに入力することを特徴とする。
【００５３】
また、請求項３４記載の発明によれば、請求項２６から３３のいずれかに記載の妨害波除去方法において、スイッチは、第３の抵抗と第２のＰＮＰトランジスタとを有して構成された回路により、時定数発生回路からの入力を第３の抵抗と第２のＰＮＰトランジスタのベースとに接続し、該第２のＰＮＰトランジスタのコレクタをカレントミラー回路に接続することで、時定数発生回路より電力が入力されると、ローパスフィルタ回路に所定の期間、電力を供給することを特徴とする。
【００５４】
また、請求項３５記載の発明によれば、請求項２０から３４のいずれかに記載の妨害波除去方法において、第１の期間は、終了検知工程により矩形信号の出力の終了が検知されたときから、所定の時定数により決定された期間であることを特徴とする。
【００５５】
また、請求項３６記載の発明によれば、請求項２０から３５のいずれかに記載の妨害波除去方法において、矩形信号を、外部に出力する出力工程をさらに有することを特徴とする。
【００５６】
【発明の実施の形態】
次に、本発明によるリモートコントロール受信装置及び妨害波除去方法の一実施形態を、図面を用いて詳細に説明する。
【００５７】
本発明によるリモートコントロール受信回路は、赤外線通信において、信号を受信した直後に一定時間だけ検波回路の感度を低くするための切替えスイッチをさらに設けたことを主要な特徴としている。
【００５８】
まず、図１の（ａ）及び（ｂ）に示す一般的な赤外リモートコントロール・システムの一実施形態における主要構成を示したブロック図と、図２に示す本発明によるリモートコントロール受信装置及び妨害波除去方法の一実施形態における検波段の回路図とを参照すると、本発明によるリモートコントロール受信装置及び妨害波除去方法は、通常、Ｐｉｎフォトダイオードから構成され、送信部２から赤外線変調波として送られてきたＰＰＭ変調信号を受信するための赤外線感知素子１０と、赤外線感知素子１０で受信したＰＰＭ変調信号を適正な利得で増幅する増幅回路２０と、ＰＰＭ変調信号の搬送波に同調した信号のみを選択的に通過させるＢＰＦ３０と、ＢＰＦ３０を通過した信号の内、正規のＰＰＭ変調信号のみを弁別する検波回路４０と、波形整形用のヒステリシスコンパレータを備えた波形整形回路５０と、整形された信号を出力する出力端子６０とを備え、ＰＰＭ変調信号の搬送波の断続に応じたパルス信号を出力端子６０より出力している。
【００５９】
図１で示された本発明によるリモートコントロール受信装置及び妨害波除去方法の一実施形態における主要構成は、上記従来技術における主要構成とほぼ同様であるが、検波回路４０の構成において、本発明の特徴となる構成が含まれている。この特徴とは、リモートコントロール受信装置及び妨害波除去方法において、入力された信号に対して一時的に感度を悪くするために、上記検波回路４０の入力波形を検波するしきい値レベルを一定時間だけ保持状態とする回路を新たに有することであり、これにより、赤外線変調信号を受信したときに起こる、ノイズなどの妨害波による誤動作を防止することができるという効果を得ることが可能となる。
【００６０】
この本発明によるリモートコントロール受信装置及び妨害波除去方法における検波回路は、図２に示すように、図６に示した従来技術による検波回路４２に、更に以下の回路を付加することによって実現されている。
【００６１】
すなわち、ワンショットトリガ回路４１８と、抵抗４２６，４２７とトランジスタ４１９によるスイッチ回路４６０と、定電流源４２２とコンデンサ４２８と定電圧源４２４とコンパレータ４２３で構成される時定数発生回路４５０と、そのコンパレータ４２３の出力でＯＮ／ＯＦＦするスイッチ４２１と、定電流源４２０とを新たに付加することで、検波回路４０に入力される波形を検波するしきい値レベルを一定時間だけ保持状態とすることを可能にする。
【００６２】
次に示す、上記各構成要素による作用において、時定数回路４２５を有するローパスフィルタ４１０における入力波形を検波するしきい値レベルを一定時間だけ保持状態とする動作は、赤外線変調信号が無入力のときは動作せず、また、入力された赤外線変調信号が終了して、出力端子６０の電圧がハイレベルとなったときの立上がりパルスを検出するワンショットトリガ回路４１８によりパルスを検出した時だけ、コンデンサ４２８が保有していた電荷を放電し、コンデンサ４２８がリセット状態となることにより、定電流源４２２とコンデンサ４２８とコンパレータ４２３と定電圧源４２４で決定された一定時間だけの期間、すなわち、時定数発生回路４５０で決定された一定時間の期間、検波回路４０のしきい値を決定している時定数回路４２５を有するローパスフィルタ４１０の放電時定数が大きくなるように動作する。
【００６３】
この時定数発生回路４５０により決定される一定時間は、時定数発生回路４５０の内部抵抗やコンデンサ４２８の電気容量を変化させることにより、幾通りの値にも変化させることが可能となるため、その時々に合わせた抵抗もしくはコンデンサを選択することにより、最適な時間により動作させることが可能となる。
【００６４】
従って、本発明によるリモートコントロール受信装置及び妨害波除去方法が、赤外線変調信号を受信したときに起こる、ノイズなどの妨害波による誤動作を防止することができるという効果が得られる。
【００６５】
次に、本実施形態におけるリモートコントロール受信装置及び妨害波除去方法の一実施形態における動作を、図１から図４を用いて詳細に説明する。
【００６６】
本発明によるリモートコントロール受信装置及び妨害波除去方法を用いたリモートコントロール・システムによる遠隔操作の主要動作は、通常、Ｐｉｎフォトダイオードから構成され、送信部２から赤外線変調波として送られてきたＰＰＭ変調信号を赤外線感知素子１０受信し、この赤外線感知素子１０で受信されたＰＰＭ変調信号を増幅回路２０により適正な利得で増幅し、この増幅されたＰＰＭ変調信号を、規定の搬送波に同調した信号のみを選択的に通過させるＢＰＦ３０により所望の信号のみを通過させ、ＢＰＦ３０を通過した信号の内、正規のＰＰＭ変調信号のみを検波回路４０により弁別し、この弁別された正規のＰＰＭ変調信号を波形整形用のヒステリシスコンパレータを備えた波形整形回路５０により波形整形し、この整形されたＰＰＭ変調信号の搬送波の断続に応じたパルス信号を出力端子６０を介してリモートコントロール受信装置及び妨害波除去方法の外部を構成する機器に出力するという手順により行われる。この主要動作は、従来技術による赤外線リモートコントロール・システムの主要動作と同様である。
【００６７】
また、図２に示された検波回路４１のブロック図を参照して、図１の（ａ）に示した本発明によるリモートコントロール受信装置及び妨害波除去方法における検波回路４０、波形整形回路５０、及び出力端子６０の構成を更に詳しく説明する。
【００６８】
まず、検波回路４０において、従来技術による構成と同様である部分は、ＢＰＦ３０の出力端が、ＮＰＮトランジスタ４１３のベースと、ＤＣレベルシフト回路４０９の入力端とに接続され、ＤＣレベルシフト回路４０９の出力は時定数回路４２５を有するローパスフィルタ４１０の入力端に接続され、次いでローパスフィルタ４１０の出力端はＮＰＮトランジスタ４１４のベースに接続され、ＮＰＮトランジスタ４１３のエミッタとＮＰＮトランジスタ４１４のエミッタとが共に定電流源４１１に接続され、ＮＰＮトランジスタ４１３のコレクタが定電流源４２２に接続され、ＮＰＮトランジスタ４１４のコレクタが、ＰＮＰトランジスタ４１５及び４１６で構成されたカレントミラー回路４７０を通して定電流源４１２に接続され、また、このＰＮＰトランジスタ４１６のコレクタが３つに分岐され、残る２つの内、一方は波形整形回路５０の入力端に接続され、残る一方はコンデンサ４１７を介して接地されている部分である。
【００６９】
ここで、検波回路４０に入出力される赤外線の信号について、図３の（Ａ）から（Ｃ）及び図４の（Ａ）から（Ｃ）に示された検波回路４０からの入出力波形の図と、図２に示した検波回路４０の回路図とを用いて詳細に説明する。図３の（Ａ）または図４の（Ａ）に示されたＡ１は、ＢＰＦ３０を介して検波回路４０に入力される信号で、特定の周波数を持つ搬送波が断続することにより構成されるＰＰＭ位置変調信号が赤外線を媒体とする赤外線変調波となり送信部２の赤外線ＬＥＤ８０を動通することで送信され、この送信された赤外線変調信号を受信部１のリモートコントロール受信装置及び妨害波除去方法が赤外線感知素子１０により受信し、増幅回路２０、及びＢＰＦ３０を介して検波回路４０に入力された信号である。
【００７０】
より詳細には、赤外線感知素子１０が、送信部２より発信された赤外線変調波を受信し、この受信した赤外線変調信号のＰＰＭ変調信号の波形に比例した電流を抵抗により電圧波に変換する。この信号電圧を増幅回路２０により適正な利得で増幅した後、ＰＰＭ変調信号の搬送波に同調した信号の内、規定のＰＰＭ変調信号の搬送波の同調していない不要な信号やノイズをＢＰＦ３で除去し、検波回路４０及び波形整形回路５０により、図３の（Ｂ）のようなＰＰＭ変調信号の断続に応じたＬｏｗレベル／Ｈｉｇｈレベルを検出し、ヒステリシスコンパレータで波形整形を行なう。このような過程を経ることにより、ＰＰＭ変調信号の搬送波の断続に応じたパルスを出力端子６０より出力している。
【００７１】
ここで、図３の（Ａ）から（Ｃ）及び図４の（Ａ）から（Ｃ）を参照して、図２の検波回路４の動作を説明する。図３の（Ａ）及び図４の（Ａ）に示された信号波形Ａ１は、ＰＰＭ変調信号波形の一例であって、搬送波のある第１及び第２ＯＮ期間とＤＣ信号のみやノイズが含まれる第１、第２、及び第３ＯＦＦ期間とで構成されるＰＰＭ変調信号波形を示していて、第２ＯＦＦ期間のパルスは正規の信号では無く、外部の周辺機器により発せられたノイズによるものである。
【００７２】
赤外線感知素子１０により受信された赤外線変調信号は、ＢＰＦ３０の出力端から検波回路４０に入力され、二つの経路に分かれる。一方の経路は、直接、ＮＰＮトランジスタ４１３のベースに入力される。また、他方の経路では、信号は、ＤＣレベルシフト回路４０９を通ることでＤＣオフセットが付加され、次いで、時定数回路４２５を有するローパスフィルタ４１０で搬送波が除去され、ＮＰＮトランジスタ４１４のベースへ伝達する。図３の（Ａ）及び図４の（Ａ）において、信号波形Ａ１はＮＰＮトランジスタ４１３のベースに入力された信号の波形であり、Ａ２はＮＰＮトランジスタ４１４のベースに入力された信号の波形である。
【００７３】
このＮＰＮトランジスタ４１３及び４１４は、差動スイッチとして動作する。すなわち、ＮＰＮトランジスタ４１３に入力されたベース電位がＮＰＮトランジスタ４１４に入力されたベース電位より低いと、ＮＰＮトランジスタ４１４がＯＮし、ＮＰＮトランジスタ４１４に電流がながれる。これにより、カレントミラー回路４７０を通し出力端Ａ点にも電流が流れる。逆に、ＮＰＮトランジスタ４１３に入力されたベース電位がＮＰＮトランジスタ４１４に入力されたベース電位より高いと、ＮＰＮトランジスタ４１４がＯＦＦし、カレントミラー回路４７０を通してＡ点には電流が流れない。
【００７４】
ここで、図２において、ＮＰＮトランジスタ４１４がＯＮすることで、カレントミラー回路４７０から流れ出す電流をＩ１（以下、Ｉ１と略す）とする。定電流源４１２から出力する電流をＩ２（以下Ｉ２と略す）とすると、Ｉ１を適当に大きくすることにより、図３の（Ｃ）に示すように、受信したＰＰＭ変調信号のＯＮ期間はハイ（Ｈｉｇｈ）レベルとなり、ＰＰＭ変調信号のＯＦＦ間は、ロー（Ｌｏｗ）レベルとなる方形波を、波形整形回路５０を介して出力端子６０へ出力するように構成することができる。
【００７５】
この時、第１ＯＮ期間が終了したことを検波回路４０は検出して、出力端子６０は、一度、ローレベルからハイレベルへと変化する。この変化を、ワンショットトリガ回路４１８で検出し、さらにワンショットトリガ回路４１８により所定の信号を出力する。この所定の信号としては、主に矩形の波形が選択される。この検出したことを表す所定の信号を抵抗４２６及び抵抗４２７により電圧分割してＮＰＮトランジスタ４１９をＯＮさせることで、コンデンサ４２８が一瞬の間、放電状態になる。これによりコンデンサ４２８の電位は一旦、接地レベルの電位まで低下し、その後、定電流源４２２とコンデンサ４２８とで得られた時定数に従い充電される。コンデンサ４２８の電位がコンパレータ４２３のしきい値電圧である定電圧源４２４に達すると、コンパレータの出力がＯＦＦとなり、スイッチ４２１をＯＮし、定電流源４２０を時定数回路４２５を有するローパスフィルタ４１０に注入して、ＮＰＮトランジスタ４１４のベース電流で決定している放電時定数が長くなるように動作する。
【００７６】
具体的には、図３の（Ａ）及び図４の（Ｂ）に示されたような信号Ａ１がＮＰＮトランジスタ４１３のベースに入力され、ＮＰＮトランジスタ４１３のベースに入力される信号は、同図Ａ２に示されたように、ローパスフィルタ４１０の時定数に従い積分された形に整形された信号が入力されることにより、図２のＡ点には、図３の（Ｂ）及び図４の（Ｂ）に示されたような信号Ｂ２が入力される。従来技術では、ローパスフィルタ４１０の時定数を変化させないため、第２ＯＦＦ区間のノイズにより、信号Ａ１の電圧レベルが信号Ａ２の電圧レベルよりも高くなり、図４の（Ｂ）に示すように、本ノイズに対して図４の（Ｂ）における信号Ｂ１のような、ノイズに反応した信号を波形整形回路５０に入力してしまう。ここで、本発明によるリモートコントロール受信装置及び妨害波除去方法では、第１ＯＮ区間の終了に合わせて、ローパスフィルタ４１０の時定数を長くするため、第２ＯＦＦ区間のノイズに対し、信号Ａ１の電圧レベルが信号Ａ２の電圧レベルよりも高くなることが無く、図３の（Ｂ）における信号Ｂ１に対して、信号Ｂ２のような、ノイズに反応していない信号を波形整形回路５０に入力することが可能となる。
【００７７】
図５は図２に示された回路におけるスイッチ４２１の具体的な一例を示した回路で、定電流源４２０の定電流をＰＮＰトランジスタ４２９及びＰＮＰトランジスタ４３１で構成されたカレントミラー回路４８０で時定数回路４２５を有するロースフィルタ４１０に供給するようにして、スイッチ４２１は抵抗４３２とＰＮＰトランジスタ４３０で構成されることにより、コンパレータの出力により定電流源４２０のＯＮ／ＯＦＦを制御している。電流記述していない部分は図２と同様な構成となっている。
【００７８】
したがって、検波回路４０の動作としては、スイッチ４２１により定電流源４２０がＯＮにされたとき、時定数回路４２５を有するローパスフィルタ４１０のしきい値を一時的に高くすることで、規定のＰＰＭ変調信号の入力が終了した後、所望の一定時間内に更に入力される不要なノイズを除去することが可能となる。
【００７９】
ここで、追加記述しておくべきこととして、本発明のリモートコントロール受信回路によるノイズ除去方法は、赤外線を媒体とした通信のみでなく、また、ＰＰＭ変調信号による通信のみでなく、不定期的な信号の交信を行う通信に対しては、全ての通信に対して応用することが可能であることである。
【００８０】
【発明の効果】
以上、説明したように、リモートコントロール受信装置及び妨害波除去方法の検波回路４０に、出力端子６０がハイレベルとなり、受信した正規のＰＰＭ変調信号が終ったことを検出する回路と、このＰＰＭ１Ｈｚ毎に延長信号が終了したときから一定の期間、検波回路４０内の時定数回路４２５を有するローパスフィルタ４１０が有する時定数による放電時定数を長くする回路とを付加することにより、規定した一定時間だけ、時定数回路４２５を有するローパスフィルタ４１０の放電時定数を長くすることが可能となるため、図３の（Ａ）及び図４の（Ａ）に示された第２ＯＦＦ区間に発生したような、ＰＰＭ変調信号に似た波形をもつ妨害波に対するしきい値を十分高くすることが可能となり、このことにより、ノイズなどの妨害波を検波回路４０が検出して誤動作するこという問題を防止することが可能となる。
【００８１】
また、ＰＰＭ変調信号の搬送波以外の信号を除去することが可能となることから、ＴＶの水平同期信号の１５ｋＨｚ付近のノイズなどの短いパルス数によるノイズに対しても、インバータ蛍光灯等のように受信周波数３８ｋＨｚに近い４５ｋＨｚの長い光学ノイズに対してもも、上記のように除去することが可能となる。
【００８２】
さらに、従来技術のように、４パルス分の時間だけＰＰＭ変調信号のＯＮ期間に比例規定したパルスの出力時間を短くする必要がなく、正規の信号のＯＮ期間を検出できずに、マイクロコンピュータ等の後続の回路素子が誤動作するようなことを防止することが可能となる。
【００８３】
さらに、妨害波を受信しやすい期間、すなわち、正規の赤外線変調信号が受信された直後の期間のみ動作することにより、必要以上の電力を消費する必要がなく、また、さらに新しく別の検波回路を付加しないため、省スペース化をすることが可能となる。
【図面の簡単な説明】
【図１】本発明及び従来技術における赤外線リモートコントロール・システムの一実施形態における主要構成を示すブロック図である。
【図２】本発明によるリモートコントロール受信装置及び妨害波除去方法の一実施形態における検波段の回路図である。
【図３】（Ａ）は、ＮＰＮトランジスタ４１３のベースに入力されるＰＰＭ変調信号（Ａ１）と、ＮＰＮトランジスタ４１４のベースに入力される信号（Ａ２）とを示す図である。（Ｂ）は、波形整形回路５０の入力しきい値（Ｂ１）と、本発明でＡ点に流れる電流（Ｂ２）を示す図である。（Ｃ）は、本発明で出力端子６０から出力される信号を示す図である。
【図４】（Ａ）は、ＮＰＮトランジスタ４１３のベースに入力されるＰＰＭ変調信号（Ａ１）と、ＮＰＮトランジスタ４１４のベースに入力される信号（Ａ２）とを示す図である。（Ｂ）は、波形整形回路５０の入力しきい値（Ｂ１）と、従来技術でＡ点に流れる電流（Ｂ２）を示す図である。（Ｃ）は、従来技術で出力端子６０から出力される信号を示す図である。
【図５】本発明におけるスイッチ４２１の構成を示す回路図である。
【図６】従来技術によるリモートコントロール受信装置及び妨害波除去方法の一実施形態における検波段の回路図である。
【符号の説明】
１  受信部
２  送信部
１０  赤外線感知素子
２０  増幅回路
３０  Ｂａｎｄ  Ｐａｓｓ  Ｆｉｌｔｅｒ（ＢＰＦ）
４０  検波回路
５０  波形整形回路
６０  出力端子
７０  発振回路
８０  赤外線発光ダイオード（赤外線ＬＥＤ）
４１  検波回路
４０９  ＤＣレベルシフト回路
４１０  ローパスフィルタ
４１１、４１２、４２０、４２２  定電流源
４１３、４１４、４１９  ＮＰＮトランジスタ
４１５、４１６、４２９〜４３１  ＰＮＰトランジスタ
４１７、４２８  コンデンサ
４１８  ワンショットトリガ回路
４２１  スイッチ
４２３  コンパレータ
４２４  定電圧源
４２５  時定数回路
４２６、４２７、４３２  抵抗
４５０  時定数発生回路
４６０  スイッチ回路
４７０、４８０  カレントミラー回路
【図１】
0003555070.tif 000002
【図２】
0003555070.tif 000003
【図３】
0003555070.tif 000004
【図４】
0003555070.tif 000005
【図５】
0003555070.tif 000006
【図６】
0003555070.tif 000007